(57)【要約】      （修正有）【課題】親機と１個以上の子機を備え、親機と子機間を近距離無線通信で情報のやり取りを行う電子投票集計機において、親機と子機が情報通信可能のネットワーク状態にあることを表示する表示具を備えた電子投票集計表示機を提供する。【解決手段】子機３１は近距離無線通信機能と、２個以上の線材端スイッチ１１と、電源スイッチと、親機５１とのネットワーク状態表示具とを具備し、親機５１は近距離無線通信機能と、表示部６１と、投票開始スイッチと、演算部とを具備し、該線材端スイッチ１１を入れて投票された数量を、表示部６１に表示するよう構成する。【選択図】図３
0003154128.tif 000002
【実用新案登録請求の範囲】
【請求項１】
親機と１個以上の子機を備え、親機と子機間を近距離無線通信で情報のやり取りを行う電子投票集計表示機において、子機は近距離無線通信機能と、２個以上の線材端スイッチと、電源スイッチと、親機とのネットワーク状態表示具とを具備し、親機は近距離無線通信機能と、表示部と、投票開始スイッチと、演算部とを具備し、該線材端スイッチを入れて投票された数量を、表示部に表示する事を特徴とする電子投票集計表示機。
【考案の詳細な説明】
【技術分野】
【０００１】
本考案は、電子投票集計表示機に関するものである。
【背景技術】
【０００２】
近年、アンケート投票集計用機器として、いくつかの電子投票集計の提案がなされている。本考案者も、実願２００９−１３３９号、匿名電子投票集計表示機にて、２個以上の一次集計部と、二次集計部と表示部からなる匿名電子投票集計表示機であって、一次集計部は投票者が投票を行うための２個以上の投票者端末を備え、投票者端末からの投票情報を集計処理し、集計情報とともに一次集計部ＩＤを発信し、二次集計部は、投票開始スイッチと、受信部と、演算部とを備え、投票開始スイッチが入れられてから投票受付終了時間までの間に、一次集計機からの投票情報と一次集計部ＩＤを受信し、一次集計部ごとに判別し、複数の一次集計部からの投票情報を集計処理し、集計結果を表示部に表示することを特徴とする匿名電子投票集計表示機を提案している。
【０００３】
上記匿名電子投票集計表示機では、子機である一次集計部を数台以上使用する状態でアンケート投票を行った時、表示部に現れた投票者数を示す数字が、全ての子機の投票情報が反映されたかどうか不安であった。
【０００４】
この為、アンケート投票者は、自分が持つ投票スイッチが配された子機と親機とが情報通信可能のネットワーク状態にあり、親機に対し子機の情報が反映される状態であるかを知りたいと思っていた。
【特許文献１】実願２００９−１３３９号
【考案の開示】
【考案が解決しようとする課題】
【０００５】
本考案は、親機と１個以上の子機を備え、親機と子機間を近距離無線通信で情報のやり取りを行う電子投票集計機において、親機と子機が情報通信可能のネットワーク状態にあることを表示する表示具を備えた電子投票集計表示機を提供することにある。
【課題を解決するための手段】
【０００６】
上記目的を達成するため本考案の電子投票集計表示機は、親機と１個以上の子機を備え、親機と子機間を近距離無線通信で情報のやり取りを行う電子投票集計表示機において、子機は近距離無線通信機能と、２個以上の線材端スイッチと、電源スイッチと、親機とのネットワーク状態表示具とを具備し、親機は近距離無線通信機能と、表示部と、投票開始スイッチと、演算部とを具備し、該線材端スイッチを入れて投票された数量を、表示部に表示する事を特徴とする。
【考案の効果】
【０００７】
本考案の電子投票集計表示機の子機は、親機とのネットワーク状態表示具を具備することで、子機が備えた線材端スイッチからの投票情報が親機に通信されている事を使用者に知らしめ、よって安心して投票に参加する事ができる。
【考案を実施するための最良の形態】
【０００８】
子機には、電源スイッチと、電源オン表示ＬＥＤと、ネットワーク状態表示ＬＥＤを備え、子機の電源スイッチを入れた時に、電源オン表示ＬＥＤが点灯し、親機とのネットワーク構築通信を始め、親機とのネットワーク構築が出来上がってから、ネットワーク状態表示ＬＥＤを点灯する事が望ましく、さらに、表示部６１には、ネットワーク構築した子機３１の個数を表示し、一個の子機がネットワーク構築時に１を表示し、子機４個とのネットワーク構築終了時は、４を表示することで、子機と共に、親機のネットワーク構築常態を確認する場合もある。
【実施例１】
【０００９】
本考案の実施形態を、２０人のセミナーを例として、使用例とともに詳しく説明する。この時、セミナー会場には４個のテーブルが用意され、一つのテーブルにはセミナー参加者５人が着座しており、公演者一名がいることを想定している。
【００１０】
図１は、線材端スイッチ５個を具備する子機を示す斜視図である。１１は線材端スイッチを示し、２１は線材、３１は子機、３２は電源スイッチ、３３は電源オン表示ＬＥＤ、３４はネットワーク状態表示ＬＥＤである。線材２１は線材端スイッチ１１と子機３１をつなぐ線材である。線材端スイッチ１１は握り押しボタンスイッチである事が望ましい。さらに、子機３１には、電源に電池を内蔵している。
【００１１】
図２は、親機の斜視図である。５１は親機を示し、５２は電源スイッチ、５３は投票開始スイッチ、５４はリセットスイッチ、５５は投票時間プラススイッチ、５６は投票時間投票時間マイナススイッチ、６１は表示部である。
【００１２】
図３は、２０人分の子機３１と親機５１との関係を示す斜視図である。子機３１と親機５１間は近距離無線通信にて情報交換を行っている。
【００１３】
以下、投票から集計、表示までを詳細に説明する。まず、親機５１の電源スイッチ５２を入れることで、親機５１を起動し、親機５１は子機３１からの情報待ち受け状態となる。その後、子機３１の電源スイッチ３２を入れることで子機３１は起動し、電源オン表示ＬＥＤ３３を点灯し、親機５１に対しネットワーク情報を発信し、親機５１と子機３１間のネットワークを構築する。ネットワークを構築した子機は、ネットワーク状態表示具となるネットワーク状態表示ＬＥＤ３４を点灯する。
【００１４】
また、電源オン表示ＬＥＤ３３とネットワーク状態表示ＬＥＤ３４を一個で兼用する場合もある。この時、子機３１の電源スイッチ３２を入れることで子機３１は起動し、電源オン表示ＬＥＤ３３を点滅させ、親機５１に対しネットワーク情報を発信し、親機５１と子機３１間のネットワークを構築する。ネットワークを構築した子機は、電源オン表示ＬＥＤ３３を点灯し、点灯し続ける電源オン表示ＬＥＤ３３にて、ネットワーク状態表示具とする場合もある。
【００１５】
２０人のセミナーでは、４個の子機３１のネットワーク状態表示ＬＥＤ３４が点灯していることを確かめることで、親機と子機がネットワーク状態にあることを確認する事ができる。
【００１６】
セミナー公演者は、「月給１００万円以上の人は、スイッチオン」とセミナー参加者に対し質問し、親機５１に具備した投票受付開始スイッチ５３を押す。
【００１７】
親機５１は、投票受付開始となった事を子機３１に発信し、表示部６１に受付残り時間を表示する。投票受付開始になった後、セミナー参加者は、セミナー公演者の質問に対し、イエスの場合は、線材端スイッチ１１を押す。
【００１８】
線材端スイッチ１１が押された時、子機３１は投票が有ったと判断し、これを集計し集計数を記憶する。この時子機は、投票時間内に同じ線材端スイッチ１１を何回押しても、１回と記憶し、子機３１は何個の線材端スイッチ１１が押されたかを記憶している。
【００１９】
投票時間終了後、親機５１は、子機３１に対し、子機３１ごとの集計数の発信を指示し、４個の子機３１は、集計数を発信する。
【００２０】
親機５１は、子機３１からの集計数を受信し、子機３１ごとの集計数の４個分を演算部で合計し、表示部６１に表示する。
【００２１】
セミナー公演者からの「月給１００万円以上の人は、スイッチオン」という質問に対し、セミナー参加者のイエスの投票数が、子機３１―ａの集計数が１件、子機３１―ｂの集計数が１件、子機３１―ｃの集計数が１件、子機３１―ｄの集計数が１件の場合、４台の子機からの集計数の合計は４であり、４の数字が表示部６１に表示され、セミナー公演者及びセミナー参加者は、その数字を見て、月給１００万円以上の人が２０人中４人参加していることを知ることができる。
【００２２】
続けて投票を行う場合、新しい質問の後に、親機５１の投票受付開始スイッチ５３を押し、投票受付を開始する。それまで表示されていた前質問に対する投票数は、投票受付開始スイッチ５３が押された時にリセットされ、次の投票受付時間の表示を行う。また、親機５１には、表示した数字を、単にリセットするリセットスイッチ５４を備え、リセットスイッチにて、表示されていた数字をリセットする場合もある。
【００２３】
また、親機５１内にはスピーカーを配し、投票開始時や、受付終了時、集計時、集計結果表示時などに効果音を鳴らす場合もある。この時、音声ボリュームを配し音量の調整をする場合もある。さらに、音声端子を使用し他の音響装置から音声を出す場合もある。
【００２４】
また、親機５１には、投票時間プラススイッチ５５、投票時間マイナススイッチ５６を具備する場合もあり、投票時間プラススイッチ５５、投票時間マイナススイッチ５６を操作し、投票受付時間を長くする場合や、短くする場合もある。
【００２５】
また、親機５１には、一旦投票の受付を終了した後、少し遅くなって投票者端末１１を操作し、投票された場合、この票数も加算し表示する場合もあり、この時、投票方式切替スイッチにて、投票方法を切替える場合もある。
【００２６】
また、親機５１から、表示部６１を切り離し、テレビ画面、パソコンモニター、投影機などを表示部として使用する場合もある。この時、親機５１にはテレビ向け、モニタ向け、プロジェクター向けなどに映像信号出力端子を具備する。
【００２７】
また、投票受付開始スイッチ５３、リセットスイッチ５４、投票時間プラススイッチ５５、投票時間マイナススイッチ５６、投票方式切替スイッチ、音量変更スイッチなどの親機操作スイッチの一部または全部をリモコンにて操作する場合もある。さらに、リモコンで操作するスイッチは、親機５１から削除する場合もある。
【００２８】
図１では、１個の子機３１に５個の線材端スイッチ１１が線材２１にて接続されているが、１個の子機３１につなぐ線材端スイッチ１１の個数は、これに限定するものではなく、一つのテーブルに３人が付く場合は、子機３１に３個の線材端スイッチ１１を備え、一つのテーブルに４人が付く場合は、子機３１に４個の線材端スイッチ１１を備える事が適当である。
【００２９】
線材端スイッチ１１には、スライドスイッチや、複数のボタンを持つスイッチを備える場合もある。線材端スイッチ１１に３つのボタンを持つスイッチを備えた場合、イエス・ノウの投票ではなく、Ａの意見、Ｂの意見、Ｃの意見など、三つの意見に対する賛成者数を確認する事ができる。
【００３０】
線材端スイッチ１１にプッシュスイッチを配する場合、隣の人にスイッチを入れられた事を知られない為、押した時に音の出ないタイプのプッシュスイッチが望ましい。
【００３１】
図２の表示部６１は、７セグの２桁表示の図となっているが、表示部６１としてこれに限定するものではなく、会場の大きさ、投票者数によって、表示部６１の桁数を選択し、１００名から９９９名までは３桁表示、１０００名以上は４桁を使用する場合もある。
【産業上の利用可能性】
【００３２】
本考案の電子投票集計表示機をセミナーなどで使用する場合、セミナー参加者各自には線材端スイッチ末１１を保持してもらい、講演者はセミナーの進行に合わせて、セミナー参加者に対し「月給１００万円以上の人」などの質問し、通常は、周囲の目を意識して手を挙げられない問いに対しても、正直に投票でき、講演者は投票結果を見ながらセミナーを進行できる。
【００３３】
また、宴会場などに本考案の電子投票集計表示機を設置し、宴会参加者各自が線材端スイッチ１１を保持し、質問者の「今、浮気をしている人」などの質問に投票し、投票結果が２とかが表示されると、「誰だ、誰だ。」と宴会が盛り上がる。本考案の電子投票集計表示機を設置した宴会場は、宴会参加者が楽しみ喜んでもらうことで、リピーターとして期待できる。
【図面の簡単な説明】
【００３４】
【図１】線材端スイッチ５個を具備する子機を示す斜視図である。
【図２】親機の斜視図である。
【図３】線材端スイッチ５個を具備する子機４台と親機を示す斜視図である。
【符号の説明】
【００３５】
１１  線材端スイッチ
２１  線材
３１  子機
３２  電源スイッチ
３３  電源オン表示ＬＥＤ
３４  ネットワーク状態表示ＬＥＤ
５１  親機
５２  電源スイッチ
５３  投票受付開始スイッチ
５４  リセットスイッチ
５５  投票時間プラススイッチ
５６  投票時間マイナススイッチ
６１  表示部
【図１】
0003154128.tif 000003
【図２】
0003154128.tif 000004
【図３】
0003154128.tif 000005